(57)【要約】【課題】比較的簡単な構成で、地震などの振動によってもロック状態が解除されることのないドアロック機構を実現すること。【解決手段】ヒンジを回転中心にして本体が収納されたケースの開口部に開閉可能に取り付けられているドアのロック機構であって、ケースの底面に設けられたピンと、このピンに嵌め合うように嵌合部が形成されドアの底面にヒンジの方向に沿ってスライド可能に配置されたレバーと、このレバーをヒンジの方向に付勢するばねとで構成され、  レバーをばねによる付勢に対抗してヒンジをスライドさせることによりレバーの嵌合部とピンとの嵌め合いによるロック状態を解除し、ドアを開くことを特徴とするもの。【選択図】                    図１
2008308829.tif 000002
【特許請求の範囲】
【請求項１】
ヒンジを回転中心にして本体が収納されたケースの開口部に開閉可能に取り付けられているドアのロック機構であって、
ケースの底面に設けられたピンと、このピンに嵌め合うように嵌合部が形成されドアの底面にヒンジの方向に沿ってスライド可能に配置されたレバーと、このレバーをヒンジの方向に付勢するばねとで構成され、
レバーをばねによる付勢に対抗してヒンジとは反対の方向にスライドさせることによりレバーの嵌合部とピンとの嵌め合いによるロック状態を解除し、ドアを開くことを特徴とするドアロック機構。
【請求項２】
前記本体は、工業用記録計であることを特徴とする請求項１に記載のドアロック機構。
【請求項３】
前記ばねは、リング状に形成されていることを特徴とする請求項１または請求項２に記載のドアロック機構。
【発明の詳細な説明】
【技術分野】
【０００１】
本発明は、工業用記録計などの機器におけるドアロック機構に関するものである。
【背景技術】
【０００２】
工業用記録計の一種に、設置されている環境雰囲気から記録計本体を保護するために、開閉可能なドアが前面に設けられた箱型のケースに、記録計本体が引き出し可能に収納されたものがある。
【０００３】
通常、このような工業用記録計は、記録計本体がケース内部に収納固定され、ケース前面のドアはロックされている。測定条件の設定変更や記録計本体の保守点検など必要な場合にドアを開き、記録計本体の前面を露出させて前面に設けられている操作スイッチなどを操作したり、記録計本体とケースとの固定を解除して記録計本体をケースから引き出して記録計本体の保守点検作業を行う。
【０００４】
図３はこのような従来の工業用記録計の一例を示す構成図であり、(Ａ)は斜視図、(Ｂ)はドアを閉じた状態での前部下面図、(Ｃ)は(Ｂ)の部分拡大図である。ドア１は、記録計本体２を収納するケース３の前面開口部の一端に、ヒンジ４を介して開閉可能に取り付けられている。ドア１の底面には、ラッチ５が設けられている。このラッチ５には嵌合部５１が形成されている。ケース３の底面には、ドア１の底面に設けられているラッチ５の嵌合部５１が着脱可能に嵌め合うようにピン６が設けられている。
【０００５】
ドア１は、ヒンジ４を中心にして回転することにより、ケース３の前面開口部を開閉する。ドア１を閉めることによりラッチ５の嵌合部５１がケース３に設けられているピン６に嵌め合い、嵌合部５１とピン６相互間に作用する摩擦力によってドア１はケース３にロックされる。ドア１を開くのにあたっては、ドア１の自由端の一部を引っ張ってこれらラッチ５の嵌合部５１とピン６との摩擦力による嵌め合いを解除する。
【０００６】
特許文献１の請求項２には、記録計におけるドアロック機構の具体的な構成例が開示されている。
【特許文献１】実開平０２−１４０４１５号公報
【発明の開示】
【発明が解決しようとする課題】
【０００７】
しかし、図３の構成によれば、ラッチ５の嵌合部５１とピン６は、ドア１の回転方向に沿って生じる嵌合部５１とピンとの摩擦力によってドア１をケース３の前面開口部にロックしているため、たとえば地震が発生してその振動によってドア１を開く方向に沿ってドア１にラッチ５の嵌合部５１とピン６との摩擦力による嵌め合いを解除するのに十分な力が加えられると、ドア１が勝手に開いてしまうおそれがある。
【０００８】
本発明は、このような課題を解決するものであり、その目的は、比較的簡単な構成で、地震による振動などによってロック状態が簡単に解除されることのないドアロック機構を実現することにある。
【課題を解決するための手段】
【０００９】
上記課題を解決するため、請求項１に記載の発明は、
ヒンジを回転中心にして本体が収納されたケースの開口部に開閉可能に取り付けられているドアのロック機構であって、
ケースの底面に設けられたピンと、このピンに嵌め合うように嵌合部が形成されドアの底面にヒンジの方向に沿ってスライド可能に配置されたレバーと、このレバーをヒンジの方向に付勢するばねとで構成され、
レバーをばねによる付勢に対抗してヒンジをスライドさせることによりレバーの嵌合部とピンとの嵌め合いによるロック状態を解除し、ドアを開くことを特徴とする。
【００１０】
請求項２に記載の発明は、請求項１に記載のドアロック機構において、前記本体は、工業用記録計であることを特徴とする。
【００１１】
請求項３に記載の発明は、請求項１または請求項２に記載のドアロック機構において、前記ばねは、リング状に形成されていることを特徴とする。
【発明の効果】
【００１２】
本発明によれば、比較的簡単な構成で、地震などの振動によってもロック状態が簡単には解除されることのない安定したドアロック機構が実現できる。
【発明を実施するための最良の形態】
【００１３】
以下、図面を参照して、本発明を説明する。
図１は本発明の実施形態例を示す構成図であり、(Ａ)は正面図、(Ｂ)は前部下面図、(Ｃ)は(Ｂ)のＢ部分のロック状態を示す拡大図、(Ｄ)は(Ｂ)のＢ部分のロック解除状態を示す拡大図、(Ｅ)はドアを閉めてロック状態に入る前を示す拡大図、(Ｆ)は(Ｂ)のＣ部分の拡大図である。
【００１４】
ドア７は、記録計本体８を収納するケース９の前面開口部の一端に、ヒンジ１０を介して開閉可能に取り付けられている。ドア７の底面には、ヒンジの方向に沿った長手方向にスライド可能な状態でレバー１１が設けられている。このレバー１１の一端は操作部１１１としてドア７の前面から突出するように形成され、中央部分にはスライド範囲を規制するための小判穴１１２が長手方向に沿って形成され、他端にはケース９の底面に設けられているピン１２に嵌め合うように嵌合部１１３が形成されている。
【００１５】
小判穴１１２にはレバー１１をスライド可能にガイドするための２個のボス１３、１４が差し込まれ、ねじ１５、１６でドアの７の底面に固着されている。レバー１１は、リング状に形成されたばね１７により図１(Ｃ)に矢印Ｅで示すヒンジ１０の方向に押し付けるように付勢されている。リング状に形成されたばね１７の一端１７１はドア７の底面に設けられている穴９１に係止され、他端１７２はレバー１１に設けられている穴１１４に係止されている。
【００１６】
図２は図１のように構成される工業用記録計の動作説明図であり、(Ａ)はドアを閉じた状態を示す斜視図、(Ｂ)は(Ａ)のＤ部分の拡大図、(Ｃ)はドアを開いた状態を示す斜視図である。
【００１７】
レバー１１は、外から力が加えられない通常の状態では、図１(Ｃ)、(Ｅ)、(Ｆ)に示すように、リング状に形成されたばね１７により図１(Ｃ)に矢印Ｅで示すヒンジ１０に向かう水平方向に押し付けるように付勢されている。
【００１８】
したがって、図２(Ａ)に示すドアを閉じた状態では、図１(Ｃ)に示すように、レバー１１の嵌合部１１３にケース９の底面に設けられているピン１２が嵌め合ったロック状態になっている。このようなロック状態において、たとえば地震が発生してその振動によってドア７を開く方向に沿ってドア７に力が加えられても、力の方向がロックを解除する方向とは異なるので、ロックが解除されることはなく、ドア７が勝手に開いてしまうことはない。
【００１９】
ドア７を閉じた状態から開けるときは、図２(Ｂ)に示すようにレバー１１をばね１７による付勢に対抗してヒンジ１０とは反対の方向にスライドさせることにより、図１(Ｄ)に示すようにレバー１１の嵌合部１１３とケース９の底面に設けられているピン１２との嵌め合いによるロック状態を解除し、ドア７の端部を手前に引き出す。これにより、ドア７は図２(Ｂ)に示すようにヒンジ１０を中心にして開く方向に回転することになる。
【００２０】
これに対し、ドア７を開いた状態から閉じるときは、開いているドア７の端部をケース９に向かって押し付ける。これにより、ドア７は図２(Ｂ)に示すようにヒンジ１０を中心にして閉じる方向に回転することになる。
【００２１】
ドア７をヒンジ１０を中心にして回転させて閉めていくと、図２（Ｅ）に示すようにレバー１１の嵌合部１１３の外周面がピン１２と接する。さらにドア７を閉めていくと、レバー１１の接した面がピン１２に沿ってばね１７による付勢に対抗して左右方向にスライドし、最終的には図１(Ｃ)に示すようにレバー１１の嵌合部１１３にケース９の底面に設けられているピン１２が嵌め合ったロック状態になる。これにより、レバー１１をスライドさせない限りドア７は開かない状態になる。
【００２２】
なお、上記実施例では工業用記録計におけるドアロック機構について説明したが、ヒンジを回転中心にしてケースの開口部に開閉可能に取り付けられているドアに対して、垂直方向にはロック機構を組み込む十分な余裕のない場合にも水平方向のスライドだけの省スペースでロックすることができるので、各種の機器におけるドアロック機構としても有効である。
【００２３】
以上説明したように、本発明によれば、レバーを水平方向にスライドさせるだけの比較的簡単な構成で、地震などの振動によってもロック状態が解除されることのないドアロック機構を実現することができる。
【図面の簡単な説明】
【００２４】
【図１】本発明の実施形態例を示す構成図である。
【図２】図１の動作説明図である。
【図３】従来の工業用記録計の一例を示す構成図である。
【符号の説明】
【００２５】
７  ドア
８  記録計本体
９  ケース
１０  ヒンジ
１１  レバー
１２  ピン
１３、１４  ボス
１５、１６  ねじ
１７  ばね
【図１】
2008308829.tif 000003
【図２】
2008308829.tif 000004
【図３】
2008308829.tif 000005